【事件の表示】
　特願２００３−　９２３４８「カメラシステム、カメラ及び交換レンズ」拒絶査定不服審判事件〔平成１６年１０月２８日出願公開、特開２００４−３０１９３９〕について、次のとおり審決する。
【結　論】
　本件審判の請求は、成り立たない。
【理　由】
１．手続の経緯
　本件出願（以下「本願」と記す。）は、平成１５年３月２８日の出願であって、平成２０年３月７日付けで拒絶査定がなされ、これに対し、同年４月１７日に拒絶査定に対する審判請求がなされるとともに、同年５月１９日付けで手続補正がなされ、これに対し平成２２年４月２８日付けで平成２０年５月１９日付け手続補正に対する補正の却下の決定がなされるとともに拒絶理由が通知され、これに対し同年７月１日付けで手続補正がなされたものである。
　
２．平成２２年７月１日付けの手続補正について
　平成２２年７月１日付けの手続補正（以下、「本件補正」という。）は、明細書を補正するものであって、その補正内容は、平成１９年７月２３日付けの手続補正による補正後の特許請求の範囲のうち、請求項１と請求項３と請求項４の構成を全て備えたカメラシステムを新たな請求項１とし、請求項５乃至６を新たな請求項２乃至３とし、請求項７と請求項９と請求項１０の構成を全て備えたカメラを新たな請求項４とし、請求項１１乃至１２を新たな請求項５乃至６とし、請求項１３と請求項１４の構成を全て備えた交換レンズを新たな請求項７とし、新たな請求項１乃至７の記載内容に対応して明細書の発明の詳細な説明の【００２５】【００２６】【００２７】及び【０１７０】段落の記載を修正するものである。
　
３．本願の請求項７に係る発明について
　本願の請求項７に係る発明（以下「本願発明」と記す。）は、本件補正により補正された明細書の特許請求の範囲の請求項７に記載された事項により特定された以下のとおりのものである。
「【請求項７】
　光学系の角度を光学的に補正する光学補正手段を有し、所定のカメラに装着される交換レンズであって、
　上記カメラから送信される補正角度情報を受信して上記光学補正手段に入力する受信手段と、
　上記光学補正手段の現在位置情報を上記カメラに送信する送信手段と、
　上記光学補正手段で補正可能な角度変位である補正最大角度情報を算出する補正最大角度情報算出手段と、
　上記補正最大角度情報算出手段によって算出された上記補正最大角度情報を上記カメラに送信する第１の送信手段を備えることを特徴とする交換レンズ。」
　
４．引用刊行物記載の発明
　これに対して、平成２２年４月２８日付けの拒絶理由に引用された、本願出願前に頒布された刊行物である特開平６−２５０２７２号公報（以下、「引用例１」という。）には、図面とともに、以下の技術事項が記載されている。
　（ａ）「【００２６】図１は本発明の第１実施例で、複数のカメラボディと複数の交換レンズで構成されるカメラシステムにおいて、該システムの任意のカメラボディＣＭＲ１と、任意の交換レンズＬＮＳ１を組合わせた像ブレ補正カメラシステムを示す図である。そして図１において図３と同一の符号で表わされた要素は同一の作用をする要素である。
【００２７】カメラＣＭＲ１はメインミラーＭＭ、ペンタプリズムＰＰ、シャッタ装置ＳＴＲ及びフィルムＦＭを有する。またカメラＣＭＲ１に生じた手ブレ角変位を検出する角変位系ＳＡとカメラＣＭＲ１の一連の露光及びフィルム巻上げ動作を制御すると共に手ブレ角変位を演算するカメラ内マイコンＣＣＰＵ１を有する。
【００２８】スイッチＳＷ１、ＳＷ２は不図示のレリーズボタンの第１及び第２ストロークでオンするスイッチで、像ブレ補正開始や露出制御のトリガーとなるスイッチである。
【００２９】ＢＡＴはＤＣ／ＤＣコンバータを含む電源でカメラＣＭＲ１及びレンズＬＮＳ１内の回路やアクチュエータに基準電位Ｖccの電源を供給する。
【００３０】次に交換レンズＬＮＳ１の説明をする。
【００３１】レンズＬＮＳ１の光学系は図に示した４つの群に相当するＬ１ないしＬ４の４つのレンズ群より成り、Ｌ１、Ｌ２、Ｌ３が所定の関係で光軸方向に進退してズーミングを行い、Ｌ１の進退によりフォーカシングを行う。
【００３２】ＥＮＣＺ、ＥＮＣＢはそれぞれズーム位置、フォーカス位置を検出するエンコーダで、通常はグイレコードパターンと検出ブラシで構成される。
【００３３】第２群Ｌ２は像ブレ補正レンズであり光軸に垂直な面内で２次元方向に駆動可能に支持され、アクチュエータＩＡＣＴでシフト駆動される。ＣＥＴＤはブレ補正レンズの変位量ｄLを検出する変位検出器である。
【００３４】ＬＣＰＵ１は像ブレ補正制御を行うレンズマイコンである。
【００３５】そしてカメラＣＭＲ１とレンズＬＮＳ１は係合マウント部において３組の信号ラインＤＣＬ、ＤＬＣ、ＤＣＬ２と１組の電源ラインＶＢＡＴ及びグラウンドラインＧＮＤで電気的に接続されている。ラインＤＣＬはカメラからレンズへコマンド、データ等を通信するライン、ラインＤＬＣはレンズからカメラへコマンド、データ等を通信するライン、ラインＤＣＬ２はカメラからレンズへアナログのブレ信号を送信するラインである。またラインＶＢＡＴを通じてカメラからレンズのレンズ内マイコンとＬＣＰＵ１およびアクチュエータＩＡＣＴ等に電源が供給される。
【００３６】次に像ブレ補正の制御ブロックについて説明する。
【００３７】カメラＣＭＲ１はブレ検出センサとして角変位計ＳＡを有し、手ブレ角変位θを電圧信号Ｖ1として出力する。
【００３８】信号Ｖ1はセンサー信号増幅アンプＡＭＰ２で増幅されて信号Ｖ2となる。
【００３９】可変アンプＡＭＰＣ１はブレ検知センサのスケールファクタ誤差を調整するための増幅率可変アンプで、図４に示す様にオペアンプと可変抵抗器で構成される。そしてアンプＡＭＰＣ１の出力信号Ｖ2Cをモニターするチェック端子ＣＨ１により、調整結果が確認できる。すなわちカメラＣＭＲ１を過信装置に載せて所定振幅で加振した時、端子ＣＨ１の信号が所定振幅になる様可変アンプＡＭＰＣ１を調整する。
【００４０】可変アンプＡＭＰ３は後述する図７にて説明される様に交換レンズＬＮＳ１側の像ブレ補正特性の違いを補正するアンプであり、図５のごとく、オペアンプとＭＯＳトランジスタＴｒ1にて構成される。ここで、レンズマイコンＬＣＰＵ１が、結像光学系のズーム及びフォーカス状態をエンコーダＥＮＣＺ、ＥＮＣＦを介して検知し、該マイコンＬＣＰＵ１のＲＯＭに格納されたデータをラインＤＬＣを介してカメラ内マイコンＣＣＰＵ１に通信する。そしてカメラ内マイコンＣＣＰＵ１はこの情報をＤ／Ａ変換器ＤＡＣ３でＤＡ変換し、そのアナログ出力ＶA3をラインＳＶA3にて該アンプＡＭＰ３内のトランジスタＴｒ1に出力すると、トランジスタＴｒ1の抵抗値が変化し、該アンプＡＭＰ３の増幅率Ａ3を変化させる事ができる。
【００４１】該アンプＡＭＰ３の出力Ｖ3はラインＤＣＬ２を介してレンズＬＮＳ１に送信される。
【００４２】なお可変アンプＡＭＰＣ１の調整に際し、信号Ｖ2cをモニターする代わりに信号Ｖ3をモニターしても構わない。この場合、アンプＡＭＰ３の増幅率Ａ3は調整用のデフォルト値になる様にカメラ内マイコンＣＣＰＵ１のプログラムを作成しておけば良い。
【００４３】レンズＬＮＳ１に入力される信号Ｖ3は可変アンプＡＭＰＬ１に入力される。該アンプＡＭＰＬ１は像ブレ補正光学機構のスケールファクタを調整するための増幅率可変アンプで、図２に示したカメラ内のアンプＡＭＰＣ１と同様の構成である。そして該アンプＡＭＰＬ１の増幅率ＡVRL1の調整は以下のように行う。
【００４４】まず、結像面にエリアセンサを有した工具カメラに被験レンズＬＮＳ１を装着し、結像光学系の前方（図１の右方）からレーザー光線を入射させる。そして像ブレ補正機構を動作させながら工具カメラのＤＣＬ２端子より所定振幅の信号Ｖ3をレンズＬＮＳ１に入力すると工具カメラのエリアセンサ上のレーザースポットが移動する。そして該スポットの移動変位が入力信号Ｖ3と所定の関係になる様にアンプＡＭＰＬ１の増幅率ＡVRL1を調整する。
【００４５】アンプＡＭＰＬ１の出力信号Ｖ3Lがブレ補正レンズＬ２の駆動変位指令信号として加算器ＡＤＤに入力される。加算器ＡＤＤの出力信号Ｖ3L−ＶLは位相補償回路ＣＯＭＰを介して信号ＶACTになり、これが像ブレ補正アクチュエータＩＡＣＴに入力され該アクチュエータＩＡＣＴは像ブレ補正レンズＬ２を偏心駆動する。そして該レンズＬ２の変位量ｄLが変位検出器ＤＥＴＤで検出されて、その検出値に相応するレンズ変位信号ＶLとして出力され、これが加算器ＡＤＤに反転入力される事でフィードバックループが形成される。」
　
（ｂ）「【００７５】図８は本発明の第２実施例のカメラシステム構成を示すブロック図で、カメラボディＣＭＲ２，交換レンズＬＮＳ２より構成される。本実施例では手ブレ信号はカメラ内マイコンＣＣＰＵ２でディジタル信号に変換されてラインＤＣＬ２を介してレンズに送信され、レンズ内マイコンＬＣＰＵ２は該信号に従って像ブレ補正レンズをディジタル制御する。またレンズ、カメラの手ブレ信号のスケールファクタ調整用としてカメラ内にＥ2ＰＲＯＭ１（電気的書込消去可能ＲＯＭ）、レンズ内にＥ2ＰＲＯＭ２を有している。
【００７６】次に図８に示される像ブレ補正機能を有するカメラシステムの構成についてさらに詳細に説明する。
【００７７】ＳＡ，ＡＭＰ２は第１の実施例と同様のブレ検知センサ及びアンプである。アンプＡＭＰ２からの手ブレ信号Ｖ2はカメラ内マイコンＣＣＰＵ２のＡ／Ｄ変換器ＡＤＣ１でディジタル変換され、信号Ｖ2Dとして出力される。
【００７８】可変アンプＡＭＰＣ２はカメラ側の手ブレ信号のスケールファクタ調整用増幅手段で、Ｅ2ＰＲＯＭ１に内蔵された調整値を用いて手ブレ信号Ｖ2DをＶ2CDに変換する。該調整値の書込みは、カメラボディＣＭＲ２に調整用工具レンズを取付けて加振台上で加振し、ラインＤＣＬ２から出力される手ブレ信号ディジタル値を工具レンズが所定値と比較し、所定値とのズレ量に応じた調整地を工具レンズよりラインＤＬＣを介してカメラ内マイコンＣＣＰＵ２に送信し、マイコンＣＣＰＵ２は該調整値をＥ2ＰＲＯＭ１に書込む。
【００７９】従ってブレ検知センサＳＡにスケールファクタ誤差があってもラインＤＣＬ２から出力されるブレ信号Ｖ2CDは誤差が補正された所定のスケールファクタを有する。
【００８０】レンズに入力されたブレ信号Ｖ2CDはレンズ側のスケールファクタ調整用増幅手段ＡＭＰＬ２で信号Ｖ2LDに変換される。そして該増幅手段ＡＭＰＬ２の増幅率ＡVRL2はＥ2ＰＲＯＭ２の調整データにより決定される。該調整データの書込みは第１の実施例と同様にエリアセンサを有した工具カメラとレーザー光源を用意し、レンズＬＮＳ２のブレ補正レンズを所定振幅で駆動した時のレーザースポット変位量を検出し、該スポット変位量の所定値からのズレに応じた調整値を工具カメラよりラインＤＣＬを介してレンズ内マイコンＬＣＰＵ２に送信する。そしてマイコンＬＣＰＵ２が該調整値をＥ2ＰＲＯＭ２に書込む。
【００８１】増幅手段ＡＭＰＬ２からの出力信号Ｖ2LDは可変増幅手段ＡＭＰ４にて信号Ｖ4Dに変換される。ここで増幅手段ＡＭＰ４の増幅率Ａ4は式５にて示された値であり、第１の実施例での増幅器ＡＭＰ３の作用に相当する。
【００８２】信号Ｖ4Dは加算器ＡＤＤ２，位相補償回路ＣＯＭＰ２を経てＤ／Ａ変換器ＤＡＬ１でアナログ変換され、変換信号ＶACTにて像ブレ補正アクチュエータＩＡＣＴが駆動される。そして像ブレ補正レンズＬ２の変位ｄLに相応する変位信号ＶＬがマイコンＬＣＰＵのＡ／Ｄ変換器ＡＤＬ１でディジタル変換され、変換信号ＶＬＤが加算器ＡＤＤ２に反転入力される。
【００８３】以上の構成ではカメラからレンズへのブレ信号はディジタルデータＶ2CDとして送信される。この場合、ブレ信号のダイナミックレンジを制限するのは通常カメラ内マイコンＣＣＰＵ２のＡ／Ｄ変換器・ＡＤＣ１のＡ／Ｄ分解能である。一般的に手ブレ信号は１０〜１２ｂｉｔの分解能が要求される。するとＡ／Ｄ変換器ＡＤＣ１も１０〜１２ｂｉｔ分解能を有するものが必要になる。この時マイコンＣＣＰＵ２には８ｂｉｔあるいは１６ｂｉｔのマイコンが使用されるが、どちらの場合もブレ信号Ｖ2CDは８×２＝１６あるいは１６×１＝１６ｂｉｔのデータとして送信される。すなわちブレ信号Ｖ2CDのダイナミックレンジはＡ／Ｄ変換器ＡＤＣ１のダイナミックレンジより大きい。従って図８の様な像ブレ補正システムでは、いくつかの交換レンズのうち、角度換算で最も像ブレ補正範囲が広いレンズのぶれ変位角θｍａｘに対してブレ信号Ｖ2が飽和せず、かつＡ／Ｄ変換も可能となる様に、アンプＡＭＰ２の増幅率Ａ2を定めれば良い。この時には任意のカメラボディと任意の交換レンズの組合わせにおいて、ラインＤＣＬ２から送信されるディジタル化されたブレ信号Ｖ2CDのスケールファクタ（単位ブレ角当たりのディジタル出力値）は常に一定となる。」
　
（ｃ）「【０１０５】図１１は上記事情を考慮したカメラボディＣＭＲ３及び交換レンズＬＮＳ３より構成された本発明の第３の実施例のカメラシステムである。図８の第２の実施例と異なる箇所は、カメラＣＭＲ３において、増幅器ＡＭＰ２とＡ／Ｄ変換器ＡＤＣ１の間に増幅率Ａ5が可変のアンプＡＭＰ５が追加され、レンズＬＮＳ３においてはマイコンＬＣＰＵ３内の増幅手段ＡＭＰ４と加算器ＡＤＤ２の間に増幅率Ａ6が可変の増幅手段ＡＭＰ６が追加されている。そして追加された２つの増幅手段の増幅率Ａ5，Ａ6は交換レンズの像ブレ補正範囲θｍａｘに対して
【０１０６】
【外２】
 
となる様に設定される。するとθｍａｘが大きい場合、Ａ6は大、Ａ5は小という設定になるため、ブレ信号Ｖ2はＡ／Ｄ変換器ＡＤＣ１の前でゲインＡ5にて圧縮され、レンズ内でゲインＡ6にて拡大されて元の値に戻る。θｍａｘが小さい場合はその反対である。すなわち、交換レンズの最大ブレ補正範囲に対する手ブレ信号Ｖ2′がＡ／Ｄ変換器ＡＤＣ１の入力許容最大値に一致するので、どの様な特性の交換レンズが装着されても、Ａ／Ｄ変換器ＡＤＣ１の分解能を最も有効に利用できる様に作用する。そしてカメラ側の増幅率Ａ5はレンズ側よりラインＤＬＣを介して通信される。
【０１０７】図１２は第３の実施例のカメラ内マイコンＣＣＰＵ３の制御を示すフローチャートである。
【０１０８】ステップ（２０１）ないし（２０４）は図９の第２の実施例のフローチャートと同一である。
【０１０９】ステップ（２０２）でスイッチＳＷ１がオンと判定され、ステップ（２１１）でＩＳ開始命令を送信すると、ステップ（２１２）ではレンズに対し、図１１で示したアンプＡＭＰ５のゲインＡ5に対応するデータの送信命令を出力する。
【０１１０】ステップ（２１３）ではレンズよりＡ5データを受信し、ステップ（２１４）でアンプＡＭＰ５のゲインをＡ5に設定する信号を出力する。該アンプＡＭＰ５は第１の実施例にて図５で示したものと同様のアンプが用いられる。
【０１１１】ステップ（２１５）ないし（２２２）は図９のステップ（１１２）ないし（１１９）と同等の作用をするが、取扱うブレ信号が図９ではＶ2，Ｖ2CDであるのに対し、当実施例ではＶ′2，Ｖ′2CDである点が異なっている。
【０１１２】図１３は第３の実施例におけるレンズＬＮＳ３の制御を示すフローチャートである。
【０１１３】ステップ（２３１）ないし（２３４）は第２の実施例の図１０におけるステップ（１３１）ないし（１３４）と同一の作用をする。
【０１１４】ステップ（２３２）においてカメラよりＩＳ開始命令が来た事を判断するとステップ（２４１）へ移り、ズームゾーン，フォーカスゾーン検知を行なう。
【０１１５】ステップ（２４２）でカメラからのゲインＡ5に関するデータ送信命令を受信するとステップ（２４３）では、ステップ（２４１）にて検知したズームゾーン，フォーカスゾーンに対応したＡ5に関するデータをマイコンＬＣＰＵ３のＲＯＭより読み出し、ステップ（２４４）で、このデータをカメラに送信する。
【０１１６】ステップ（２４５）ないし（２５４）は図１０のステップ（１４２）ないし（１５１）と同様であるが、ステップ（２４７）（２４８）のみやや異なる。ステップ（２４７）ではカメラよりブレ信号Ｖ′2CDを受信する。次いでステップ（２４８）では受信した信号Ｖ′2CDに対し、図１１に示す３個の増幅手段ＡＭＰＬ２，ＡＭＰ４，ＡＭＰ６のゲインＡVRL2，Ａ4，Ａ6を乗じてブレ信号Ｖ4Dに変換する。そしてここで得られた信号Ｖ4Dは第２の実施例における信号Ｖ4Dと同一のスケールファクタとなる。」
　
（ｄ）「【０１１９】
【発明の効果】以上説明したように本発明の像ぶれ防止システムは、複数の光学装置の組合せにより構成される防振システムにおいて、光学装置間で授受されるブレ信号の調整を行うことにより、任意の光学装置の組合せにおいても、光学装置間での正確なブレ信号の授受が行われるようになり、常に高精度なブレ補正が可能になる。」
　
（ｅ）【図１１】において、カメラボディＣＭＲ２（【０１０５】の記載よりＣＭＲ３の誤記と思われる）と交換レンズＬＮＳ２（【０１０５】の記載よりＬＮＳ３の誤記と思われる）との接続部において、ラインＤＬＣ及びラインＤＣＬ２にはそれぞれカメラボディＣＭＲ２側と交換レンズＬＮＳ２側に接続部材が記載されている。
　
　上記引用例１の記載事項及び図面を総合勘案すると、引用例１には、次の発明（以下、「引用発明１」という。）が記載されていると認められる。
　
「カメラボディＣＭＲ３及び交換レンズＬＮＳ３より構成されたカメラシステムにおいて使用される交換レンズＬＮＳ３において、
上記カメラボディＣＭＲ３は、角変位計からなるブレ検知センサＳＡと、手ブレ信号増幅用アンプであるアンプＡＭＰ２（以下「手ブレ信号増幅用アンプＡＭＰ２」という。）と、特定増幅率で増幅するアンプＡＭＰ５（以下「特定アンプＡＭＰ５」という。）と、カメラ内マイコンＣＣＰＵ３と、レンズからカメラへコマンド、データ等を通信するラインＤＬＣ（以下「ラインＤＬＣ」という。）と、カメラからレンズへ手ブレ信号を送信するラインＤＣＬ２（以下「ラインＤＣＬ２」という。）と、交換レンズＬＮＳ３にラインＤＬＣとラインＤＣＬ２を接続する接続部材と、を有し、カメラボディＣＭＲ３に生じた手振れ角変位を検出するブレ検知センサＳＡで測定された手ブレ信号Ｖ1は、手ブレ信号増幅用アンプＡＭＰ２で増幅された後交換レンズＬＮＳ３からラインＤＬＣ及び接続部材を介して通信された以下の式を満たす増幅率Ａ5で特定アンプＡＭＰ５で増幅され、
 
（注：上記式におけるθｍａｘは、交換レンズＬＮＳ３の像ブレ補正範囲。Ａ6はマイコンＬＣＰＵ３内の増幅手段ＡＭＰ６の増幅率。）
その後カメラ内マイコンＣＣＰＵ３のＡ／Ｄ変換器ＡＤＣ１で変換された後ラインＤＣＬ２及び接続部材を介して交換レンズＬＮＳ３に送信する処理を行うものであり、
上記交換レンズＬＮＳ３は、増幅手段ＡＭＰ６を内蔵するマイコンＬＣＰＵ３（以下「マイコンＬＣＰＵ３」という。）と、像ブレ補正レンズＬ２と、像ブレ補正レンズＬ２をシフト駆動する像ブレ補正アクチュエータＩＡＣＴと、像ブレ補正レンズＬ２の変位量ｄLを検出する変位検出器ＤＥＴＤと、ラインＤＬＣと、ラインＤＣＬ２と、カメラボディＣＭＲ３にラインＤＬＣとラインＤＣＬ２を接続する接続部材と、を有し、マイコンＬＣＰＵ３からラインＤＬＣ及び接続部材を介してカメラボディＣＭＲ３に増幅率Ａ5を送信し、ラインＤＣＬ２及び接続部材を介して受信した手ブレ信号と変位検出器ＤＥＴＤからの像ブレ補正レンズＬ２の変位量ｄLとを用いてマイコンＬＣＰＵ３にて演算を行い像ブレ補正アクチュエータＩＡＣＴに駆動信号を送り像ブレ補正レンズＬ２を偏心駆動させてフィードバックループ制御により像ブレ補正を行うものである、
カメラシステムにおいて使用される交換レンズ。」
　
５．対比
　本願補正発明を、引用発明１と比較する。
　引用発明１における「カメラボディＣＭＲ３」は、本願発明における「カメラ」に相当する。
　引用発明１における「交換レンズＬＮＳ３」は、「カメラボディＣＭＲ３」とともに「カメラシステム」を「構成」しているので、本願発明における「所定のカメラに装着される交換レンズ」に相当する。
　引用発明１における「交換レンズＬＮＳ３」内にある「像ブレ補正レンズＬ２」と「像ブレ補正アクチュエータＩＡＣＴ」と「変位検出器ＤＥＴＤ」と「マイコンＬＣＰＵ３」は、ラインＤＣＬ２及び接続部材を介してカメラボディＣＭＲ３から受信した手ブレ信号と変位検出器ＤＥＴＤからの像ブレ補正レンズＬ２の変位量ｄLとを用いてマイコンＬＣＰＵ３にて演算を行い像ブレ補正アクチュエータＩＡＣＴに駆動信号を送り像ブレ補正レンズＬ２を偏心駆動させてフィードバックループ制御により像ブレ補正を行うものであるから、本願発明における「光学系の角度を光学的に補正する光学補正手段」に相当する。
　引用発明１では、交換レンズＬＮＳ３にて手ブレ信号と像ブレ補正レンズＬ２の変位量ｄLとを用いてマイコンＬＣＰＵ３にて演算を行い像ブレ補正アクチュエータＩＡＣＴに駆動信号を送り像ブレ補正レンズＬ２を偏心駆動させてフィードバックループ制御により像ブレ補正を行うので、引用発明１における交換レンズＬＮＳ３にてカメラボディＣＭＲ３から受信した「手ブレ信号」は、本願発明における「カメラから送信される補正角度情報」に相当する。
　引用発明１における交換レンズＬＮＳ３の「ラインＤＣＬ２」及び「接続部材」は、カメラボディＣＭＲ３から手ブレ信号を受信してマイコンＬＣＰＵ３にその手ブレ信号を入力する手段であるから、本願発明における「カメラから送信される補正角度情報を受信して」「光学補正手段に入力する受信手段」に相当する。
　引用発明１における「像ブレ補正レンズＬ２の変位量ｄL」は、本願発明における「光学補正手段の現在位置情報」に相当する。
　引用発明１における「θｍａｘ」は、「交換レンズＬＮＳ３の像ブレ補正範囲である」から、本願発明における「光学補正手段で補正可能な角度変位である」「補正最大角度」に相当する。
　引用発明１におけるθｍａｘから導き出される「増幅率Ａ5」は、本願発明における「補正最大角度情報」に相当する。
　引用発明１における「交換レンズＬＮＳ３」は、θｍａｘから増幅率Ａ5を生成するので、本願発明における「補正最大角度情報算出手段を有し」ている。
　引用発明１における「交換レンズＬＮＳ３」の「ラインＤＬＣ」及び「接続部材」は、カメラボディＣＭＲ３へ「増幅率Ａ5」を送信する手段であるから、本願発明における「補正最大角度情報算出手段によって算出された」「補正最大角度情報を」「カメラに送信する」「第１の送信手段」に相当する。
　
　すると、本願補正発明と、引用発明１とは、次の点で一致する。
＜一致点＞
　光学系の角度を光学的に補正する光学補正手段を有し、所定のカメラに装着される交換レンズであって、
　上記カメラから送信される補正角度情報を受信して上記光学補正手段に入力する受信手段と、
　上記光学補正手段で補正可能な角度変位である補正最大角度情報を算出する補正最大角度情報算出手段と、
　上記補正最大角度情報算出手段によって算出された上記補正最大角度情報を上記カメラに送信する第１の送信手段を備えることを特徴とする交換レンズ。　
　
　一方で、両者は、次の相違点で相違する。
＜相違点＞
　本願発明では、交換レンズは「光学補正手段の現在位置情報を上記カメラに送信する送信手段」を備えているのに対し、引用発明１では、「交換レンズＬＮＳ３」は「像ブレ補正レンズＬ２の変位量ｄL」（本願発明の「光学補正手段の現在位置情報」に相当）をカメラボディＣＭＲ３に送信する送信手段を備えていない点。
　
６．当審の判断
　周知の振れ補正を行うカメラシステムに用いる着脱可能なレンズにおいて、光学補正手段の現在位置情報を交換レンズからカメラに送信する手段を備えることは、本願出願前に周知である（特開平５−２８９１３９号公報参照）。よって、引用発明１の交換レンズにおいて、前記周知の技術を適用して「像ブレ補正レンズＬ２の変位量ｄL」をカメラボディＣＭＲ３に送信する手段を備えるようにすることは、当業者が適宜なし得る設計変更に過ぎず、その作用効果も当業者が予測しうるものに過ぎない。
　
７．むすび
　以上の通り、本願発明は、引用刊行物に記載された発明に基いて当業者が容易に発明をすることができたものであるから、特許法第２９条第２項の規定により特許を受けることができない。
　したがって、その余の請求項に係る発明について論及するまでもなく、本願は拒絶すべきものである。
　よって、結論のとおり審決する。